(57)【要約】移動式携帯装置（１）は、赤外線移動検出器（８、９）を有する。移動検出器は、誰かが存在するかどうかを検出し、作動を可能にして、例えば、この検出された存在に出来事を提示するタイミングを適応させる。移動検出システムは、装置の周りの動き（好ましくは３６０度）を共に検出するために、互いに相反して位置する、好ましくは１８０度の赤外線の移動検出要素（８、９）を有する。好ましくは、赤外線検出器は、装置の上面（６）及び底面（７）に位置される。この形態は、装置の側面（４、５）でタッチセンサー（１０）などの他のセンサーのための余裕を残す。
2005525012.tif 000002
【特許請求の範囲】
【請求項１】
移動式携帯装置であって、該携帯装置は、正面、背面、２つの側面、上面及び底面を有する箱として形成され、少なくとも一つの表面は、前記携帯装置の周りを映し出すように配置された、人の存在を検出するための第一の赤外線移動検出器が設けられ、作用を行うための手段は、人の存在が検出される場合に構成されることを特徴とする移動式携帯装置。
【請求項２】
第二の赤外線移動検出器が存在し、前記２つの移動検出器は、前記携帯装置の周りの３６０度の実質的に補足的な部分で人の存在を検出するように前記携帯装置に位置されることを特徴とする請求項１に記載の移動式携帯装置。
【請求項３】
前記装置は、人の存在が検出される場合、そこにいたかどうか又は通知される出来事であるかどうかを確認するための手段を有し、人が存在する場合に、該存在する人の注意に警報する警報信号を与えることを特徴とする請求項１に記載の移動式携帯装置。
【請求項４】
前記赤外線検出器は、前記装置の前記上面及び底面に設けられたことを特徴とする請求項１に記載の移動式携帯装置。
【請求項５】
前記上面及び底面は湾曲し、前記赤外線検出器の外部窓は該湾曲に続くことを特徴とする請求項３に記載の移動式携帯装置。
【請求項６】
前記装置は、該装置の表面で少なくとも一つのタッチセンサーを設けたことを特徴とする請求項１に記載の移動式携帯装置。
【請求項７】
前記装置は、ユーザの存在の検出に基づいた場合、設定期間後に前記警報信号を停止する手段を有し、その時間で人の存在が検出される場合、不活性な時間間隔の後、警報信号を再活性するために前記装置は手で持ち上げられないか又は活性されないことを特徴とする請求項１に記載の移動式携帯装置。
【請求項８】
前記装置は、非反応性の期間によって続く設定回数の不活性な時間間隔後の前記警報信号及び再活性を停止するシーケンスを繰り返す手段を有することを特徴とする請求項７に記載の移動式携帯装置。
【請求項９】
前記設定回数の警報信号及び再活性を停止するシーケンスを繰り返す手段は、持続を増加する不活性な時間間隔を使用するように配置されることを特徴とする請求項７に記載の移動式携帯装置。
【発明の詳細な説明】
【技術分野】
【０００１】
本発明は、移動式携帯装置に関する。そのような装置は、例えば、移動式電話、ＰＤＡ（パーソナルデジタルアシスタント）、リモートコントロールなどである。
【背景技術】
【０００２】
前述のような装置は、幅広く使用されている。それら装置の多くは、かかってくる電話の呼び出し、約束事、又はこれから始まるテレビ番組のような、ある出来事に関してユーザに通知する機能を有する。そのような通知は、これ以後、如何なる特別の通知又は出来事に制限されずに、「通知」又は「出来事」と呼ばれる。
【０００３】
ユーザが出来事の時にまわりにいない間、ユーザに出来事を伝える必要がある場合に問題が生じる。通常は、一定の期間の後に止まる信号が与えられる。延長された期間に信号を維持することは、ユーザが信号に注意するという可能性を増加させるが、しかし装置のバッテリーを空にする危険性を有する。ある時間の間隔（例えば、１５分）での信号の繰り返しは、ユーザが信号に注意するという可能性を高めるが、しかし、可能性は、ユーザが信号と信号との間に存在し、信号が出る場合にちょうど再度不在となることを維持する。
【発明の開示】
【発明が解決しようとする課題】
【０００４】
本発明は、前述した問題を解決するか又は少なくとも緩和することを目的とする。
【課題を解決するための手段】
【０００５】
この目的のために、本発明と一致する移動式携帯装置は、携帯装置は、正面及び背面、２つの側面、並びに上面及び底面を有し、少なくとも一つの表面が、携帯装置の周りを映し出すように配置された人の存在の検出のための第一の赤外線移動検出器、及び人の存在が検出される場合、処置を講ずるための手段が供給され、箱型状で形成されることを特徴とされる。赤外線移動検出器を使用することによって、人の検出は、例えば、熱くなる機器は通常は移動しないので、人に対応する熱の存在だけが検出される場合よりもさらに信頼される。携帯装置の環境において移動を検出するための移動検出器は、例えば、取り上げるような携帯装置自体の移動を検出するための移動センサーと混同するべきでない。受動の赤外線移動検出器はまた、例えば、反射された赤外線時間の飛行距離測定センサー又は赤外線視差画像化センサーなどの周辺のセンサーと混同するべきでない。装置は狭い監視角度で作動できるが、好ましくは、移動検出器は、すべての移動が検出できるように、検出器のまわりの３６０度を映し出す。
【０００６】
記載の“箱”は本発明の概念において限定される用語として理解されず、つまり、特定又は特別の形状を記述するように理解されないが、しかし、一般に縦のブロックに類似の形状を有する、つまり、縦の方向で、やや大型で長い正面及び平面（上面は頻繁にボタンが設けられる）と、（実質的に底面と上面と同じ長さの）２つの側面と、最後に上面及び底面とを有する、移動電話、ＰＤＡ及びリモートコントロールのような装置の従来の形状について一般用語で単に記述することである。例えば、この場合、装置は正面及び背面並びに円筒状の側面を有する円筒状であり、円筒状の表面の上部分は、上部の表面の代わりに解釈されるべきであり、上部分は、規定された角度内にある楕円の表面の一部として特徴とされる。
【０００７】
本発明は、人の存在が（赤外線移動検出器によって）検出される場合に限り、作動されて、エネルギーの不必要な消耗が回避することができる洞察に基づく。
【０００８】
バッテリーを空にする危険性が減少する。例えば、赤外線センサーのドーム型レンズ及びアレイは、装置の正面に配置できる。
【０００９】
しかしながら、より実際的な実施態様は、第二の赤外線移動検出器が存在し、２つの移動検出器は、携帯装置の周囲の３６０度の実質的に補足的な部分で人の存在を検出するように携帯装置に位置づけされることを特徴とする。２つの移動検出器は、相対する側面に位置づけできるが、より好ましくは、それら検出器は上面及び底面に位置づけされる。装置が使用されない場合、典型的には装置がその背面で置かれる場合、第一の検出器は、例えば、左と右に９０度までの正面領域の像を映すことができ、同様にして、もう一方の検出器は後方領域の像を映すことができる。装置自体によって像を映された領域を部分的に遮ることはない。さらに、単なる装置のまわりの水平帯の像を映す代わりに、移動検出器はさらに装置より下の、又は装置より上の一部分の像を映す、例えば、両検出器は、装置の周囲の半球体の像を映すように配置されてよい。例えば、装置が食器棚の上に置かれ、人が装置の下を移動している場合、これは有用である。結局、例えば、側面の他のセンサーのタッチセンサーや例えば、正面のデータ入出力機能の英数文字ボタン及びスクリーンのための余地があるので、上面と底面に移動検出器を備える形態は上品である。背面は未使用かもしれないし、又は、装置が正面を上にして置かれていることを示す光検出センサー若しくは圧力センサーを含んでいるかもしれない。
【００１０】
概略すると、赤外線検出器の位置及び赤外線検出器によってカバーされる角度の範囲は、そのような形状を有する装置が、その装置の正面を上にしてテーブル、マントルピース又は他の平らな表面上に頻繁にとり残されるという洞察に基づく。上部及び底部の表面又は側面に２つの相対して配置された赤外線検出器を提供することは、装置を囲むスペースの非常に広大な適用範囲を許容する。
【００１１】
本発明の概念内では、多くのタイプの作用が試みられるかもしれない。それらの例としては、
−人の存在の記録（例えば、これは存在を電子的に記録することにより行われてよい。）
−連絡する人か実体（例えば、コンピュータ）のもとへ有効（無効）なメッセージを送る。しばしば、遭遇される問題は、連絡する人は、例えば、受信者がそこにいない電話で受信人と連絡をとろうとします。ときどき、数回の試みで、電話で受信者と連絡が取れる。彼は常に遅くに帰宅するか、又は部屋に全くいない。最終結果は両者において苛立たしい。しかしながら、受信側で部屋に受信者か又は他の人の存在が検出される場合、連絡をする人又は無益な連絡を回避された実体に知らせが送信される。次いで、他の人又は実体は、誰かが移動装置に実際近いことを知っているその人のもとへ電話をするか、又はメッセージを送信する。例えば、個人の通話を行わなければならない場合、これは有用です。移動電話に存在する最後の番号の自動リダイアル手段は、存在の検出で活性化されるか、又は、存在の示唆は、例えば、連絡者の移動電話若しくはコンピュータのポップアップメッセージを開始して、連絡する側に送信されてよい。
【００１２】
−もし両者の電話で、人の存在が検出されるか、及びそのような場合に、２台の電話間の自動的な電話連絡を確立する。そのような実施態様において、両側に人の存在が検出される場合、電話は両側で鳴り始める。この実施態様は、例えば、二人の人が個人的な会話を電話によって互いに試みようとする多くの場合、彼らが（オフィスから）離れていると思われる場所でない場合に、特に有用である。ここで、彼らが同時に存在するので、すべての問題が議論されてよい。
【００１３】
−ユーザが存在する別の部屋の第二電話などの別の装置へのメッセージの中継（例えば、受け手の移動電話が寝室にあるが、居間にある家のポータブル電話のＤＥＣＴがユーザの存在を検出してよい）。この適用において、相互情報転送手段は、ホームネットワークなど存在してよい。代替として、連絡する側は、受け手の側で異なる装置に一対一で連絡してよい。
【００１４】
好ましい実施態様において、装置は、通知しなければならない出来事であったか、又は出来事であるかどうかをチェックする手段を有し、そうであるなら、人の存在が検出される場合に存在する人の注意に警報する警報合図で知らせる。
【００１５】
−人が存在して、
−メッセージ又はアラームが与えられ、つまり、ユーザの注意が必要な場合、利用可能なエネルギーの非常に効率的な使用がなされる、
場合に限って、この実施態様は、アラームを鳴らす、つまり、人の存在の注意を警報することによる洞察に基づく。ユーザに連絡する見込みが高められている一方、バッテリーを空にする危険性は減少する。
【００１６】
好ましくは、赤外線検出器は装置の上部及び底部表面に設けられる。この配置は、赤外線検出器を提供するために利用可能なスペースを最も効率的に使用させる。
【００１７】
好ましくは、上部及び底部表面は湾曲であり、赤外線検出器の外部窓は湾曲に続く。移動検出器におけるそのような湾曲のレンズは、容易に成される。正面、背面及び側面は、正面レスプ（resp）、正面レスプのレンズの背面、後方の移動検出器に続く形状で突出し、それによって、レンズを支持し、したがって、安定性を提供し、さらに装置に滑らかな外観を与える。
【００１８】
装置の側面の同じ特質は、通常は側面で手に取る、装置の取り扱いの容易さを縮小して、側面に膨らまされた外観を与える傾向がある。
【００１９】
好ましくは、装置は、例えば、装置の側面で少なくとも一つのタッチセンサーが設けられる。タッチセンサーは異なるタイプとなることができ、装置が処理され、したがって、おそらく通知の出来事が考慮される。代替として、使用者の注意は、ユーザがボタンを押すことによって、装置に伝えられてよい。
【００２０】
例えば、装置が手に取られたことをタッチセンサーが示す場合、アラーム又は信号は停止されてよく、そのような場合、メッセージが提供されてよい。好ましくは、装置は、装置の両側面でタッチセンサーを有する。
【００２１】
人の存在が検出された場合に装置によって鳴らされた信号は、例えば、聴覚的及び／又は視覚的であってよい。
【００２２】
好ましくは、装置は、設定時間後に警報信号を停止する手段を有し、ユーザの存在の検出に基づく場合、人の存在が検出される時間で不活性時間後に警報信号を再活性するように装置は手に取られないか、又は活性化されない。ユーザは存在してよいが、例えば、彼の移動電話でないので、彼は関心をもたないかもしれない。バッテリーが空になるので、アラームを鳴らし続けることは無益である。したがって、例えば、３秒後に、装置は、例えば、１０秒間静まる。その後、人がまだ存在する場合、装置はさらに３秒間アラームを鳴らす。このストラテジーはまた、例えば、大きな犬の存在など、間違ったアラームの場合に有用である。
【００２３】
好ましくは、装置は、非反応期間によって続く、期間の設定数における不活性な時間の間隔後、警報信号及び再活性化を停止するシーケンスを繰り返す手段を有する。例えば、前述のストラテジーを１０回繰り返した後、部屋の中にいる誰にでも反応しないことは明白である。バッテリーを節約し、人の存在を悩むことを回避するために、装置は警報を停止する。マルチスケールアプローチが使用されてよく、例えば、３０分間の非反応時間後、シーケンスが再度開始してよい。
【００２４】
好ましくは、警報信号及び期間のセット数の再活性を停止するシーケンスを繰り返すための手段は、持続を増加させる不活発な時間の間隔を使用するように配置される。例えば、アラームは３秒間鳴らされ、次いで、３秒間静まり、再度３秒間警報し、３秒間の静まりが２回、などである。例えば、バッテリーの出力をより長く節約するために、異なるシーケンスが採用でき、又は、シーケンスのタイミングはかなり悩ましいかもしれないので、人の存在は作用するように駆られる。それらのシーケンスはまた、例えば、ＧＰＳ若しくはビーコンの手段又は人の動作は、前回よりどれくらい速かったかによって決定される装置の位置など様々な要因に依存して適用されてよい。
【００２５】
本発明の前述及び他の態様は、下記に記載の実施態様から明白であり、下記に記載の実施態様を参照して解明されるであろう。
【００２６】
添付図は実際の規模で描かれていない。一般的に、添付図において、同一の構成部分は、同一の参照番号によって与えられる。
【発明を実施するための最良の形態】
【００２７】
図１Ａ及び図１Ｂは、本発明と一致する典型的な携帯装置１を概略して示す。装置は、正面２、背面３、側面４及び５、並びに上面６及び底面７を備えたほぼ細長い箱状である。本装置は、好ましくは、移動検出器である、人の存在を検出するための２つの相反して配置された赤外線検出器８及び９を設けられる。赤外線検出器は、上面及び底面においてこの好ましい実施例で配置される。例えば、約１０ミクロンの熱赤外線を検出するＩＲＡ−Ｅ７００ＳＴ型（Ｍｕｒａｔａ）の２つの受動の赤外線センサーが使用されてよく、レンズは小面から構成される。レンズは人が部屋を通って移動する場合、２つのセンサー上のレンズによって異なる量の赤外線エネルギーが画像化されるようにレンズは構築され、したがって、それらの量の変化の測定は移動を示す。異なる数の赤外線センサーと異なるレンズを備える異なる移動検出器システムは、そのような赤外線移動検出器の設計における当業者によって設計できるように採用されてよい。レンズとセンサーの各移動検出器は、好ましくは、１８０度に近い幅広い感度の角度（ほぼ１４０乃至１８０度内）を有する。装置の正面及び背面に設置された２つの赤外線検出器を使用することによって、装置のまわりの広大な空間をカバーすることは可能であり、ほぼ１８０度の適用範囲を備えた検出器を使用することによって、装置のまわりのほぼ全体のスペースはカバーすることができる。上面及び底面に検出器を配置することは、例えば、装置の側面で追加的なタッチセンサー１０のためのスペースを許容する。そのようなタッチセンサーの設備が好ましい。この実施例において、タッチセンサーは、装置の両側面に位置される薄い伝導素子のペアから構成される。わずかな電位がストリップ上に配置され、それらストリップが両方とも手で触れられると直ちに、皮膚の伝導性の特性がわずかな電流を動かせる。（装置が手で取り上げられる際に生じるような）装置の移動を検出するセンサーのような異なるタイプのセンサーは、例えば、加速度計、圧力センサー、容量性の接近センサーなどのタッチセンサーとして代替又は追加で使用されてよい。
【００２８】
装置は、例えば、メッセージなどの通知を保存し、及び／又は、例えば、メッセージなどの通知が受信される際に検出するための、例えば、プロセッサ及びメモリなどの手段を有する。人の存在が検出される場合、装置は、出来事が通知されるかどうか、例えば、読まれるか聞かれるメッセージが存在するかどうかをチェック（そのようなメッセージの受信が記録される、データベースをチェックすることによってなされる）し、メッセージ又はアラームが存在する検出された人に警報する警報信号（聴覚的及び／又は視覚的）を放射するために人の存在が検出される事実によって引き起こされる手段（プログラム又はプログラムコードの一部で形成されてよい）を有する。既に記載したように、出来事又は通知のタイプは制限を形成せず、重要な唯一の特徴は、テレビでただちに開始されるプログラム、かかってきた電話、記録されたメッセージ、ＳＭＳ、又はその他出来事である、通知される出来事が存在する。
【００２９】
多数の好ましい実施態様はまた、図１Ａ及び１Ｂで例示される。タッチセンサー（又は、自身の移動センサー、つまり、装置が持ち上げられる、装置自体の移動を検出するセンサー）の存在、上面及び底面での赤外線検出器の存在、上面及び底面の湾曲は、赤外線検出器の窓の湾曲に対応する。この後者の特徴は、装置の一般的な形状を歪めすぎることなく、多大な検出角度を可能にする。装置の全体的な外観を変更せず、かつ、取り扱いのしやすさを縮小して、赤外線検出が装置の側面に位置する場合、同じ特性が遂行することは困難であり得る。図に示されるように２つの１８０度の移動検出器の移動は、ポートレート位置で片手によって保持されるように設計された如何なる移動装置において非常に適切である（移動電話、ＰＤＡ、リモートコントロール、電子ブックなど）。
【００３０】
図２Ａ及び２Ｂは、本発明と一致する装置のさらなる実施例を示し、ここで、同一の参照番号は同一機能の要素を示す。この図はまた、例えば、ＬＣＤ又は電子ペーパーディスプレイなどのメッセージ又は通信スクリーン１１を示す。
【００３１】
装置は、設定時間後に警報信号を停止する手段を有してよく、ユーザの存在の検出に基づく場合、人の存在が検出される次の機会において警報信号を再活性するために、装置は持ち上げられないか又は活性化されない。そのような手段は、例えば、装置内の中央制御ユニットの一部を形成し得るか、又は装置内の中央制御ユニットのプログラムコードによって形成され得る。タイミング装置は時間を提供するために含まれる。
【００３２】
さらに、本装置は、好ましくは、非反応期間に続いて、警報信号及び設定回数の再活性を停止するシーケンスを繰り返すための手段を有する。装置はまた、警報信号及び設定回数の再活性を停止するシーケンスを繰り返すための手段を有し、ここで再活性間のインターバルが増大する。これはまた、エネルギー消費を削減できる。
【００３３】
基本的な作用及び好ましい実施態様と一致する装置の一部が図３のスキームで概略して示される。
【００３４】
メッセージが受信される場合（３１）、信号３２はメッセージ自体と同様に適切な際に、メッセージがあったという事実を保存する（３３）ために与えられる。これは、如何なる便利なデータ保存手段４０で成されることができる。赤外線検出器８、９が人の存在を検出する（又は、可能である人の存在に対応して信号をより正確に登録される）場合、これは、例えば、メッセージが保存されるかどうかをチェックする（３４）、中央制御ユニット３９に転送され、これが確認される（３５）場合、警報信号を鳴らすための手段を活性化する（３６）。
【００３５】
概略すると、本発明は、下記のように記載されてよい。
【００３６】
携帯型の移動装置は、赤外線の移動検出器を有する。移動検出器は、誰かが存在するかどうかを検出し、作動を可能にして、例えば、この検出された存在に出来事を提示するタイミングを適応させる。
【００３７】
移動検出システムは、装置の周りの動き（好ましくは３６０度）を共に検出するために、互いに相反して位置する、好ましくは１８０度の赤外線の移動検出要素を有する。好ましくは、赤外線検出器は、装置の上面及び底面に位置される。この形態は、装置の側面でタッチセンサーなどの他のセンサーのための余裕を残す。
【００３８】
本発明が、これより以前に記載されて特異的に示されたものによって限定されないことは、当業者によって認識されるであろう。請求項で明確に記載されなくとも、本発明は、新規な特有の特徴のすべて及び特有の特徴のすべての組み合わせに存在する。請求項の符号は、それら請求項の保護範囲を制限しない。動詞“有する”及びその活用形の使用は、請求項に記載された以外の要素の存在を除外しない。単数の要素の使用は、そのような要素の複数の存在を除外しない。
【００３９】
本発明の概念において、‘繰り返し手段’及び“警報信号の停止手段”は、例えば、如何なるハードウェア（レペティター、エンダーなど）、下記に与えられた典型的な実施態様を制限せずに、単独又は組み合わせなどのように作用するハードウェア若しくはソフトウェアの如何なる組み合わせと同様に、本発明と一致する前述の操作を実行するように設計或いはプログラムされる如何なるソフトウェア（コンピュータプログラムか、サブプログラムか、コンピュータプログラムのセットか、あるいはプログラムコード）と同様に記載されるような警報信号の繰り返しと停止を実行するために設計された如何なる回路又はサブ回路を有し、幅広く解釈される。一般的に、手段は、プロセッサで実行するソフトウェア又は、例えば、ＡＳＩＣ上の専用回路として理解されるべきである。
【００４０】
本発明は、本発明を例示して、制限するように構成されない、特定の実施態様に関して記載される。本発明は、ハードウェア、ファームウェア若しくはソフトウェア、又はそれらの組み合わせで実行されてよい。他の実施態様は、請求項の範囲内である。
【図面の簡単な説明】
【００４１】
【図１Ａ】本発明と一致する携帯装置の概略図である。
【図１Ｂ】本発明と一致する携帯装置の概略図である。
【図２Ａ】本発明と一致するさらなる実施例の概略図である。
【図２Ｂ】本発明と一致するさらなる実施例の概略図である。
【図３】本発明を例示するスキームを示す図である。
2005525012.tif 000003
2005525012.tif 000004
【図３】
2005525012.tif 000005
【国際調査報告】
2005525012.tif 000006
2005525012.tif 000007
2005525012.tif 000008